(57)【要約】      （修正有）【課題】床面と壁面などによるすみ部や階段のような段差のすみ部のぼみの取り残しを少なくするごみ取りロールを提供する。【解決手段】すみ部での非接触面積を減らすには、ロール形状を円柱ではなくすみ部にできるだけ入り込める角ばった部分を持ち、かつごみを取るべき面との接触もより広く保つことのできる形状のものにするのがよい。それには多角柱形状、なかんずく３角柱状のものや４角柱状のものが適合し、２つの角ばった部分をもつ紡錘形断面の柱状のものも対象となる。ここで実用上、角ばった部分に適当な半径の丸みを持たせることは妨げない。また従来の円柱状のロールについても、それがボール紙の芯なども含め剛性が大きくないものについては、ロールの保持操作具７の芯軸７Ａを多角柱状や紡錘形断面の柱状にし、その寸法をほどよいものにして円柱ロール１の芯部に挿入し、円柱ロールを多角柱状や紡錘形断面の柱状に変形させて用いる。【選択図】図８
0003167351.tif 000002
【実用新案登録請求の範囲】
【請求項１】
粘着性、静電性や吸着性などを利用して、散在する細かなごみを集める柱状形状のロールにおいて、回転させるロールの形状を円柱状ではなく、３角柱や４角柱のような多角柱形状や紡錘形断面をもつ柱状のような角ばった部分をもつ非円柱の柱状にすることにより、清掃すべき床面の端に壁面があったり、階段のような段差があったり、床面上に物体が置いてあったりする場合のようなすみ部があるときはその部分のごみの取り残しを少なくしたり、清掃すべき部分への接触面積を円柱状の場合よりは大きくしたりすることを特徴とする、ごみ取りロール。ただし、ロールの角ばった部分に多少の丸みがつくことは妨げない。また、このロールの芯部は中空でも密閉でもよいが、後者の密閉の場合は、後記「請求項２」の保持操作具に取り付けるための対応した軸もしくは軸穴を設けておく。
【請求項２】
「請求項１」に示されるロールで芯部が中空のものに差し込むことにより、ロールを回転させながら移動させることを特徴とする、非円柱形状の回転可能な芯軸をもつロール用保持操作具。
【請求項３】
「請求項２」に示される非円柱形状の芯軸を持つロール用保持操作具であって、ロールおよびその中空の芯部形状が円柱のものに対しても、その芯部がボール紙などで作られていて全体の剛性が大きくなく、保持操作具の非円柱形状の芯軸を差し込むとロール全体がそれになじんで非円柱の柱状になる場合には、そのようにしても用いることを特徴とする、非円柱の柱状の回転可能な芯軸をもつロール用保持操作具。
【考案の詳細な説明】
【技術分野】
【０００１】  床や作業台のような面上に散在するごみを除去するための回転するロールの形状およびそのための保持操作具に関する。
【背景技術】
【０００２】  従来から、床面など平面的な面上に散在するごみを清掃するために、表面が粘着性や静電性など吸着性をもつ材料を円柱形状にしたロールと、それを清掃すべき面上に転がしていくための保持操作具が用いられている。
【先行技術文献】
【特許文献】
【０００３】
【特許文献１】実開平６−８５６５９  公報
【特許文献２】特開２００１−８７２０９  公報
【非特許文献】
【０００４】
【非特許文献１】株式会社ニトムズ製品情報、インターネット・ホームページ、ｈｔｔｐ：／／ｗｗｗ．ｎｉｔｏｍｓ．ｃｏｍ／ｐｒｏｄｕｃｔｓ／ｉｎｄｅｘ．ｈｔｍｌ
【非特許文献２】タニムラ株式会社電子カタログ、クリーナー・掃除用具、インターネット・ホームページ、ｈｔｔｐ：／／ｗｗｗ．ｔａｎｉｍｕｒａ．ｂｉｚ／ｃｌｅａｎｒｏｏｍ．ｈｔｍ
【考案の概要】
【考案が解決しようとする課題】
【０００５】  従来のごみ取り用ロールの形状は円柱のものに限られているが、そのために例えば床面の端に壁面があったり、階段のような大きな段差があったり、床面上に物体が置いてあるような場合には、床面から立ち上がる部分のすみ部にロール表面が接触できない部分が生じ、その部分のごみを取ることができない。さらに、ロールの回転の瞬間瞬間や静止時には、ロールの円柱と床面との接触部分は直線接触に近い狭い部分に限られる。
【課題を解決するための手段】
【０００６】  上記二つの課題、すなわち、すみ部での非接触によるごみの取り残しや平面での直線的接触という欠点を解決するために、ロールの形状を改良する。後者の平面での直線的接触への対応策として、「［非特許文献２］」ではロールに弾力性をもたせる材質を用いたりエンボスを付す工夫をしているが限度があり、また前者のすみ部への対応策にはならない。形状を工夫することによって、すみ部にもより入り込み、かつ平面への接触面積も増やすことができる。このためにはロールの形状を例えば３角柱や４角柱など、一般的には多角柱にすること、あるいは紡錘形の断面を持つ柱状とすること、すなわちこれらをまとめて表現すれば円柱形状ではない柱状の形状とすることである。この場合、円柱形状のロールと同様、中空の芯部を持つものや芯棒を通す穴だけとしたものが可能である。ただし、実現に当たっては、その製作上の実際あるいはロールの回転のしやすさなどを考慮して、角ばった部分に適当な丸みを持たせることは妨げない。【０００７】  さらに現状で中空の芯部を持つ円柱ロールが一般的に使われていることを考慮すれば、この円柱ロール自体の全体の剛性がそれほど大きくないときには、ロールの保持操作具の芯軸部を多角形柱状、あるいは紡錘形の断面を持つ柱状とし、それをロールの中空の芯部に挿入してロール全体を多角形柱状あるいは紡錘形断面を持つ柱状に変形させれば、そのような形状のロールを用いるのと同様の効果を得ることができる。【０００８】  例えば円柱ロールを３角柱状とするための保持操作具の場合には、当該芯軸部の寸法は、円柱ロールを３角柱状に変形させながら円柱ロールの中空芯部に挿入できるように定めるものとする。
【考案の効果】
【０００９】  上述のように、従来の円柱形状のごみ取りロールに対して、ロールを多角柱状あるいは紡錘形断面を持つ柱状としたこと、あるいは従来の円柱ロールをそのような角ばった部分を持つ柱状に変形させて用いるようにしたことにより、床面と壁面などによるすみ部や階段のような段差のすみ部のごみの取り残しを少なくすることに役立つ。また、床面に対するロールの接触面積も増え、回転させずに局所的にごみを取ることもでき、清掃の効率化にも役立てることができる。
【図面の簡単な説明】
【００１０】
【図１】従来の円柱ロールにおいて、床面と壁面によるすみ部のごみの取り残しが生ずることを示す側面図、および床面との接触が直線接触であることを示す平面図である。
【図２】本考案の一形態である３角柱ロールがすみ部に接触し、床面にも広く接触することを示す側面図である。
【図３】本考案の一形態である４角柱ロールが段差のすみ部に接触し、床面にも広く接触することを示す側面図である。
【図４】本考案の一形態である紡錘形断面を持つ柱状ロールがすみ部に接触することを示す側面図である。
【図５】本考案の一形態である３角柱ロールで、中空の芯部を持つ例を示す斜視図である。
【図６】本考案の一形態である３角柱ロールで、保持操作具の芯棒を通す穴を持つ例を示す斜視図である。
【図７】本考案の一形態である３角柱ロール用の保持操作具で、中空の芯部を持つ円柱ロールを３角柱ロール状に変形させて用いるものの例を示す斜視図である。
【図８】本考案の一形態である３角柱ロール用の保持操作具の芯軸を円柱ロールの中空芯部に挿入し、３角柱ロール状に変形させた状態の例を示す斜視図である。
【考案を実施するための形態】
【００１１】  本考案はごみ取りロールの形を従来からある円柱でなく、３角柱や４角柱のような多角柱や紡錘形断面の柱状にするものであるが、その実施形態には２通りある。第一はロールそのものを初めからそのような非円柱の柱状にしたものを用いるものであり、第二は従来からある円柱ロールにそのような非円柱の柱状の芯軸を挿入して、円柱ロールをそれに近い形状に変形させて用いるものである。
【実施例】
【００１２】  以下、添付図面に従って一実施例を説明する。ここでは多角柱形状のうちの３角柱形状を取り上げる。図７において、従来から用いられている芯部がボール紙などで作られている中空の円柱粘着ロール１に、本考案の３角柱の芯軸を持つ保持操作具７の芯軸７Ａを挿入して、ロール１を３角柱状に変形させる。例えば家庭用品として広く販売されている清掃などごみ取り用の粘着ロールは中空の芯部１Ａの内径が１ｍｍ程度の精度で３７ｍｍに統一されており、この場合は挿入すべき保持操作具７の芯軸７Ａの断面の正３角形の１辺を例えば４０ｍｍとすると、円柱ロール１を少し変形させながら中空の芯部１Ａに挿入でき、挿入後もその変形を維持して３角柱に近い形状のロールを得ることができる。【００１３】  図７に示されるように、この実施例においては、３角柱状の芯軸７Ａには挿入したロールが抜け落ちないようにつけ根側にロール抑えフリンジ７Ｂが、また開放端側にも抜け落ちを防ぐための可撓性のロール抑え爪７Ｃがある。また、芯軸７Ａはロールの保持操作具７の把手７Ｄに回転可能な状態にして差し込まれるが、芯軸７Ａが把手７Ｄから抜け落ちないように把手７Ｄの先端に止めキャップ７Ｅを取り付ける。これら抜け落ちを防ぐための部分についてはとくに目新しいものでなくてもよく、従来の円柱ロールを用いた用具と同様でよい。【００１４】  こうして図７において、円柱ロール１に対して図７では右方から芯軸７Ａの形状になじませながら挿入し、円柱ロール１の左端でロール抑え爪７Ｃが円柱ロール１の芯部１Ａに引っ掛かれば装着は終了である。【００１５】  図８はこのようにして本考案の保持操作具７に円柱ロール１を装着して、３角柱状のロールを持つごみ取り用具とした例である。
【符号の説明】
【００１６】１    円柱ロール
１Ａ  円柱ロールの芯部
２    床面と壁面によるすみ部
３    円柱ロールが床面に直線接触する部分
４    ３角柱形状ロール
４Ａ  ３角柱形状ロールの中空芯部
４Ｂ  ３角柱形状ロールの充填芯部
５    ４角柱形状ロール
６    紡錘形断面を持つ柱状のロール
７    保持操作具
７Ａ  ３角柱形状の芯軸
７Ｂ  ロール抑えフリンジ
７Ｃ  ロール抑え爪
７Ｄ  把手
７Ｅ  止めキャップ
【図１】
0003167351.tif 000003
【図２】
0003167351.tif 000004
【図３】
0003167351.tif 000005
【図４】
0003167351.tif 000006
【図５】
0003167351.tif 000007
【図６】
0003167351.tif 000008
【図７】
0003167351.tif 000009
【図８】
0003167351.tif 000010
【手続補正書】
【提出日】平成23年1月27日(2011.1.27)
【手続補正１】
【補正対象書類名】実用新案登録請求の範囲
【補正対象項目名】全文
【補正方法】変更
【補正の内容】
【実用新案登録請求の範囲】
【請求項１】
粘着性、静電性や吸着性などを利用して、散在する細かなごみを集める柱状形状のロールにおいて、回転させるロールの形状を多角柱形状や紡錘形断面をもつ柱状、ないし多少の丸みをおびた角ばった部分をもつ非円柱の柱状にしたことを特徴とする、ごみ取りロール。
【請求項２】
請求項１に記載のごみ取りロールで芯部が中空のものを対象として、それにはめ合わせられる形状の回転可能な芯軸を差し込んで用いることにより、ロールを回転させながら移動させごみ取りの操作をさせることを特徴とする、非円柱形状の回転可能な芯軸をもつごみ取りロール用保持操作具。
【請求項３】
請求項２に記載のごみ取りロール用保持操作具であって、円柱形状のごみ取りロールに対しても、その芯部が中空円柱状でボール紙などで作られていて全体の剛性が大きくない場合には、保持操作具の非円柱形状の芯軸を差し込んでロール全体の形状をそれになじませて非円柱の柱状に変形させて用いることを特徴とする、ロール用保持操作具。